(57)【特許請求の範囲】
【請求項１】
冗長バージョン（ＲＶ）をシステムフレーム番号（ＳＦＮ）及びサブフレーム番号と結び付ける方法であって、
ＳＦＮのサブフレーム番号に従って、システム情報（ＳＩ−ｘ）メッセージの送信ウィンドウ内で、任意の５つの連続したサブフレームを選択し、
前記ＳＩ−ｘメッセージのＲＶを、前記５つの連続したサブフレームの前記ＳＦＮ及びサブフレーム番号と結び付けること
を含む方法。
【請求項２】
前記ＳＩ−ｘメッセージのＲＶを、前記５つの連続したサブフレームの前記ＳＦＮ及びサブフレーム番号と結び付けることは、
前記５つの連続したサブフレームのうちの、４つの時系列化されたサブフレームのＲＶシーケンスを、ＳＲＶ（０）、ＳＲＶ（１）、ＳＲＶ（２）、ＳＲＶ（３）として設定し、
前記５つの連続したサブフレームのうちの、残りのサブフレームのＲＶを、ＳＲＶ（０）、ＳＲＶ（１）、ＳＲＶ（２）、及びＳＲＶ（３）のうちの任意の１つとして設定すること
を含み、ここで、０〜９に含まれる整数であるＮで始まる前記５つの連続したサブフレームの、いずれのサブフレーム番号も５ではない、請求項１に記載の方法。
【請求項３】
前記ＳＩ−ｘメッセージのＲＶを、前記５つの連続したサブフレームの前記ＳＦＮ及びサブフレーム番号と結び付けることは、
前記５つの連続したサブフレームのうちの、５と番号付けされたサブフレーム以外の、４つのサブフレームのＲＶシーケンスを、ＳＲＶ（０）、ＳＲＶ（１）、ＳＲＶ（２）、ＳＲＶ（３）として設定し、
前記５と番号付けされたサブフレームのＲＶを、
【数１】
0005256348.tif 000007
として設定すること
を更に含み、ここで、ｎｆは、前記ＳＦＮを表し、ＳＲＶ＝｛ＳＲＶ（０），ＳＲＶ（１），ＳＲＶ（２），ＳＲＶ（３）｝であり、
ここで、０〜９に含まれる整数であるＮで始まる前記５つの連続したサブフレームの、サブフレーム番号のうちの１つは５であり、前記ＳＦＮは偶数である、請求項１に記載の方法。
【請求項４】
前記ＳＩ−ｘメッセージのＲＶを、前記５つの連続したサブフレームの前記ＳＦＮ及びサブフレーム番号と結び付けることは、
前記５つの連続したサブフレームのうちの、４つの時系列化されたサブフレームのＲＶシーケンスを、ＳＲＶ（０）、ＳＲＶ（１）、ＳＲＶ（２）、ＳＲＶ（３）として設定し、
前記５つの連続したサブフレームのうちの、残りのサブフレームのＲＶを、ＳＲＶ（０）、ＳＲＶ（１）、ＳＲＶ（２）、及びＳＲＶ（３）のうちの任意の１つとして設定すること
を更に含み、ここで、０〜９に含まれる整数であるＮで始まる前記５つの連続したサブフレームの、サブフレーム番号のうちの１つは５であり、前記ＳＦＮは奇数である、請求項１に記載の方法。
【請求項５】
前記ＳＩ−ｘメッセージの前記送信ウィンドウの長さは、５ｍｓ、１０ｍｓ、２０ｍｓ、又は４０ｍｓである、請求項４に記載の方法。
【請求項６】
冗長バージョン（ＲＶ）をシステムサブフレーム番号（ＳＦＮ）及びサブフレーム番号と結び付ける装置であって、
ＳＦＮのサブフレーム番号に従って、システムフレームの送信ウィンドウ内の、任意の５つの連続したサブフレームを選択するように構成された、サブフレーム選択ユニットと、
システム情報（ＳＩ−ｘ）メッセージのＲＶを、前記５つの連続したサブフレームの前記ＳＦＮ及びサブフレーム番号と結び付けるように構成された、結び付けユニットと
を備える装置。
【請求項７】
前記結び付けユニットは、
前記５つの連続したサブフレームのうちの、４つの時系列化されたサブフレームのＲＶシーケンスを、ＳＲＶ（０）、ＳＲＶ（１）、ＳＲＶ（２）、ＳＲＶ（３）として設定し、前記５つの連続したサブフレームのうちの、残りのサブフレームのＲＶを、ＳＲＶ（０）、ＳＲＶ（１）、ＳＲＶ（２）、及びＳＲＶ（３）のうちの任意の１つとして設定するように構成された、第１の設定サブユニット
を備え、ここで、０〜９に含まれる整数であるＮで始まる前記５つの連続したサブフレームの、いずれのサブフレーム番号も５ではない、請求項６に記載の装置。
【請求項８】
前記結び付けユニットは、
前記５つの連続したサブフレームのうちの、５と番号付けされたサブフレーム以外の、４つのサブフレームのＲＶシーケンスを、ＳＲＶ（０）、ＳＲＶ（１）、ＳＲＶ（２）、及びＳＲＶ（３）として設定し、前記５と番号付けされたサブフレームのＲＶを、
【数２】
0005256348.tif 000008
として設定するように構成された、第２の設定サブユニット
を更に備え、ここで、ｎｆは、前記ＳＦＮを表し、ＳＲＶ＝｛ＳＲＶ（０），ＳＲＶ（１），ＳＲＶ（２），ＳＲＶ（３）｝であり、
ここで、０〜９に含まれる整数であるＮで始まる前記５つの連続したサブフレームのうちの、１つのサブフレームは、５と番号付けされ、前記ＳＦＮは偶数である、請求項６に記載の装置。
【請求項９】
４つの時系列化されたサブフレームのＲＶシーケンスを、ＳＲＶ（０）、ＳＲＶ（１）、ＳＲＶ（２）、ＳＲＶ（３）として設定し、前記５つの連続したサブフレームのうちの、残りのサブフレームのＲＶを、ＳＲＶ（０）、ＳＲＶ（１）、ＳＲＶ（２）、及びＳＲＶ（３）のうちの任意の１つとして設定するように構成された、第３の設定サブユニット
を更に備え、ここで、０〜９に含まれる整数であるＮで始まる前記５つの連続したサブフレームのうちの、１つのサブフレームは、５と番号付けされ、前記ＳＦＮは奇数である、請求項６に記載の装置。
【発明の詳細な説明】
【技術分野】
【０００１】
本出願は、２００８年９月２２日に中国専利局に出願された、「Ｍｅｔｈｏｄ  ａｎｄ  Ａｐｐａｒａｔｕｓ  ｆｏｒ  Ｂｉｎｄｉｎｇ  Ｒｅｄｕｎｄａｎｃｙ  Ｖｅｒｓｉｏｎｓ  ｗｉｔｈ  ａ  Ｓｙｓｔｅｍ  Ｆｒａｍｅ  Ｎｕｍｂｅｒ  ａｎｄ  Ｓｕｂｆｒａｍｅ  Ｎｕｍｂｅｒｓ（冗長バージョンをシステムフレーム番号及びサブフレーム番号と結び付ける方法及び装置）」と題された、中国特許出願第２００８１０１６１８０２．５号の優先権を主張するものであり、当該出願は、その全体が参照によって本明細書中に援用される。
【０００２】
本発明は、通信に関し、特に、冗長バージョンをシステムフレーム番号及びサブフレーム番号と結び付ける方法及び装置に関する。
【背景技術】
【０００３】
従来技術では、ダウンリンク制御インジケータ（ＤＣＩ）フォーマット１Ｃが、ページングチャネル（ＰＣＨ）、ランダムアクセスチャネル（ＲＡＣＨ）応答メッセージ、及びブロードキャストチャネル（ＢＣＣＨ）メッセージをスケジュールするために使用される（ＳＩＢ１及びＳＩ−ｘ、ｘ＝２，．．．，８）。従来技術では、以下の定義が与えられる。
【０００４】
冗長バージョン（ＲＶ）：０ビット長、すなわち、暗黙的指示（ｉｍｐｌｉｃｉｔ  ｉｎｄｉｃａｔｉｏｎ）。
【０００５】
システム情報ブロック１（ＳＩＢ１）のＲＶは、システムフレーム番号（ＳＦＮ）及びサブフレーム番号と結び付けられ、異なるＲＶが、８０ｍｓの中で使用される。ＳＩＢ１のＲＶシーケンスは、ＲＶ０、ＲＶ２、ＲＶ３、及びＲＶ１である。システム情報ｘ（ＳＩ−ｘ）のＲＶも、ＳＦＮ及びサブフレーム番号と結び付けられる。
【０００６】
従来技術によれば、各システムフレームの期間は１０ｍｓであり、システムフレームは０から番号付けされる。１つのシステムフレームは、０から９まで番号付けされた１０個のサブフレームを含む。システムフレーム及びサブフレームの、時系列内での関係を、図１に示す。
【０００７】
８０ｍｓサイクル内に、８つのシステムフレームが存在し、その中で、ＳＩＢ１は、偶数のＳＦＮを有する各システムフレームの、５と番号付けされたサブフレーム上で送信される。ＳＩＢ１のＲＶシーケンスは、０、２、３、１である。ＳＩ−ｘは、指定された送信ウィンドウ内で送信され、送信ウィンドウの長さは、｛１，２，５，１０，２０，４０｝ｍｓであってもよい。各ＳＩ−ｘメッセージは、送信ウィンドウ内で、一定数の再送を伴って送信される。各再送は、１つのサブフレーム上で行われ、どのＳＩ−ｘメッセージの送信ウィンドウも互いに近接しているが、オーバーラップすることはできない。ＳＩ−ｘの送信ウィンドウは、ＳＩＢ１の送信ウィンドウとオーバーラップすることが可能であるが、ＳＩＢ１が送信されるサブフレーム上で、ＳＩ−ｘメッセージを送信することはできない。
【発明の概要】
【発明が解決しようとする課題】
【０００８】
従来技術では、ＳＩ−ｘのＲＶをＳＦＮ及びサブフレーム番号と結び付ける解決方法が存在せず、結果として、ＳＩ−ｘメッセージの再送の性能を保証することができない。従って、従来技術を改良する必要がある。
【課題を解決するための手段】
【０００９】
本発明の実施形態は、システム情報（ＳＩ−ｘ）メッセージの再送を保証するために、冗長バージョン（ＲＶ）をシステムフレーム番号（ＳＦＮ）及びサブフレーム番号と結び付ける方法及び装置を提供する。
【００１０】
本発明の一態様によれば、ＲＶをＳＦＮ及びサブフレーム番号と結び付ける方法が提供される。この方法は、ＳＦＮのサブフレーム番号に従って、ＳＩ−ｘメッセージの送信ウィンドウ内で、任意の５つの連続したサブフレームを選択し、５つの連続したサブフレームのＳＦＮ及びサブフレーム番号を、ＳＩ−ｘメッセージのＲＶと結び付けることを含んでもよい。
【００１１】
本発明の別の態様によれば、ＲＶをＳＦＮ及びサブフレーム番号と結び付ける装置が提供される。この装置は、ＳＦＮのサブフレーム番号に従って、ＳＩ−ｘメッセージの送信ウィンドウ内で、任意の５つの連続したサブフレームを選択するように構成された、サブフレーム選択ユニットと、５つの連続したサブフレームのＳＦＮ及びサブフレーム番号を、ＳＩ−ｘメッセージのＲＶと結び付けるように構成された、結び付けユニットとを含んでもよい。
【発明の効果】
【００１２】
従来技術と比較して、本発明の実施形態は、以下の利点を提供する。
【００１３】
ＲＶがＳＦＮ及びサブフレーム番号と結び付けられるため、ＳＩ−ｘメッセージの送信ウィンドウの長さが５ｍｓ以上である場合、システムフレーム及びサブフレームが、ＳＩ−ｘメッセージのＲＶと結び付けられ、従って、ＳＩ−ｘメッセージのＲＶ再送が保証される。
【図面の簡単な説明】
【００１４】
【図１】従来技術における、システムフレーム及びサブフレームの時系列を示す。
【図２】本発明の実施形態による、ＲＶをＳＦＮ及びサブフレーム番号と結び付ける方法のフローチャートを示す。
【図３】本発明の別の実施形態による、ＲＶをＳＦＮ及びサブフレーム番号と結び付ける方法のフローチャートを示す。
【図４】本発明の更に別の実施形態による、ＲＶをＳＦＮ及びサブフレーム番号と結び付ける方法のフローチャートを示す。
【図５】本発明の実施形態による、ＲＶをＳＦＮ及びサブフレーム番号と結び付ける方法における、サブフレームのＲＶシーケンスの概略図である。
【図６】本発明の実施形態による、ＲＶをＳＦＮ及びサブフレーム番号と結び付ける装置の概略構成を示す。
【図７】本発明の別の実施形態による、ＲＶをＳＦＮ及びサブフレーム番号と結び付ける装置の概略構成を示す。
【発明を実施するための形態】
【００１５】
本発明について、添付の図面、及び以下の特定の実施形態を参照して、詳細に説明する。
【００１６】
図２は、本発明の一実施形態による、ＲＶをＳＦＮ及びサブフレーム番号と結び付ける方法を示す。この方法は、以下のステップを含む。
【００１７】
ステップｓ２０１：ＳＦＮのサブフレーム番号に従って、任意の５つの連続したサブフレームが選択される。
【００１８】
このステップにおいて、選択は、ＳＩ−ｘメッセージの送信ウィンドウ内で行われる。
【００１９】
ステップｓ２０２：ＳＩ−ｘメッセージのＲＶが、５つの連続したサブフレームのＳＦＮ及びサブフレーム番号と結び付けられる。
【００２０】
このステップにおいて、ＳＩ−ｘメッセージのＲＶは、５つの連続したサブフレームについて設定される。従って、ＳＩ−ｘメッセージのＲＶが、ＳＦＮ及びサブフレーム番号と結び付けられる。
【００２１】
上記の実施形態に従って提供された方法を使用すれば、ＲＶが、ＳＦＮ及びサブフレーム番号と結び付けられる。ＳＩ−ｘメッセージの送信ウィンドウの長さが５サブフレーム以上である場合、ＳＩ−ｘメッセージのＲＶ再送の性能が保証される。
【００２２】
本発明について、特定の適用シナリオを使用して詳細に説明する。
【００２３】
本発明の別の実施形態は、ＲＶをＳＦＮ及びサブフレーム番号と結び付ける方法を提供する。この実施形態において、再送中のＳＩ−ｘメッセージのＲＶシーケンスは、ＳＲＶ＝｛ＳＲＶ（０），ＳＲＶ（１），ＳＲＶ（２），ＳＲＶ（３）｝として設定され、ここで、ＳＲＶ＝｛ＳＲＶ（０），ＳＲＶ（１），ＳＲＶ（２），ＳＲＶ（３）｝＝｛０，２，３，１｝である。
【００２４】
当業者は、再送中のＳＩ−ｘメッセージのＲＶシーケンスが、他のシーケンスを採用してもよいということを理解されたい。
【００２５】
具体的には、図３に示すように、０又は５と番号付けされたサブフレームで始まる、５つの連続したサブフレームに関して、結び付け方法は、以下のステップを含む。
【００２６】
ステップｓ３０１：｛０、１、２、３、４｝と番号付けされたサブフレームについて、４つのサブフレームが前記５つのサブフレームから選択され、そして、４つのサブフレームは時系列内にある。４つのサブフレームのＲＶシーケンスは、ＳＲＶ（０）、ＳＲＶ（１）、ＳＲＶ（２）、ＳＲＶ（３）として設定され、５つのサブフレームのうちの残りのサブフレームのＲＶは、ＳＲＶ＝｛ＳＲＶ（０），ＳＲＶ（１），ＳＲＶ（２），ＳＲＶ（３）｝の中の値として設定される。
【００２７】
ステップｓ３０２：｛５、６、７、８、９｝と番号付けされたサブフレームについて、処理は、特定のシナリオによって異なる。
【００２８】
偶数のＳＦＮ（ＳＦＮ＝０，２，４．．．）を有するシステムフレームのシナリオにおいては、｛６，７，８，９｝と番号付けされたサブフレームについて、サブフレームのＲＶシーケンスが、ＳＲＶ（０）、ＳＲＶ（１）、ＳＲＶ（２）、ＳＲＶ（３）として設定される。
【００２９】
好ましくは、５と番号付けされたサブフレームのＲＶは、
【数１】
0005256348.tif 000002
として設定されてもよく、ここで、ｎｆは、ＳＦＮを表す。これは、ＳＩＢ１のＲＶシーケンスがＳＲＶ（０）、ＳＲＶ（１）、ＳＲＶ（２）、ＳＲＶ（３）であることを保証する。
【００３０】
奇数のＳＦＮ（ＳＦＮ＝１，３，５．．．）を有するシステムフレームのシナリオにおいては、｛５、６、７、８、９｝と番号付けされたサブフレームから、時系列内の４つのサブフレームが選択される。４つのサブフレームのＲＶシーケンスは、ＳＲＶ（０）、ＳＲＶ（１）、ＳＲＶ（２）、ＳＲＶ（３）として設定され、｛５、６、７、８、９｝と番号付けされたサブフレームのうちの残りの１つのＲＶは、ＳＲＶ＝｛ＳＲＶ（０），ＳＲＶ（１），ＳＲＶ（２），ＳＲＶ（３）｝の中の任意の値として設定される。
【００３１】
上記の実施形態に従って提供された方法を使用すれば、ＲＶが、ＳＦＮ及びサブフレーム番号と結び付けられる。ＳＩ−ｘメッセージの送信ウィンドウの長さが５ｍｓ以上である場合、ＲＶが特定の順序で配列された、４つの時系列化されたサブフレームを、任意の送信ウィンドウ内に見出すことが可能であり、従って、ＳＩ−ｘメッセージの再送の性能が保証される。
【００３２】
Ｎと番号付けされたサブフレームで始まる、５つの連続したサブフレームを、ＲＶをＳＦＮ及びサブフレーム番号と結び付けるためのグループとして使用する必要がある。すなわち、ここで、Ｎは０又は５である、ということを、当業者は理解されたい。サブフレーム番号Ｎは、０と９との間の整数であってもよい。又は、特定のシナリオにおいて、ＳＩ−ｘメッセージのＲＶは、１つずつ、サブフレームによって結び付けられてもよい。
【００３３】
Ｎが０ではなく、５＞Ｎ−１である場合、ＳＲＶ＝｛ＳＲＶ（０），ＳＲＶ（１），ＳＲＶ（２），ＳＲＶ（３）｝の中の値が、０と番号付けされたシステムフレームの、０〜Ｎ−１と番号付けされたサブフレームのＲＶとして、無作為に設定されてもよい。
【００３４】
Ｎが０ではなく、５≦Ｎ−１である場合、５と番号付けされたサブフレームのＲＶは、ＳＲＶ（０）であり、ＳＲＶ＝｛ＳＲＶ（０），ＳＲＶ（１），ＳＲＶ（２），ＳＲＶ（３）｝の中の値が、０〜４及び６〜Ｎ−１と番号付けされたサブフレームのＲＶとして、無作為に設定される。
【００３５】
システムフレームのＲＶ結び付けは、連続的であり、繰り返されない。０と番号付けされたシステムフレームの、Ｎと番号付けされた開始サブフレームから、５つごとのサブフレームが、連続的に、繰り返しなしに結び付けられる。
【００３６】
ＳＩ−ｘメッセージの送信ウィンドウが５ｍｓである例示的実施形態を使用して、本発明について更に説明する。
【００３７】
本発明の更に別の実施形態では、ＲＶとＳＦＮ及びサブフレーム番号とを結び付ける方法を提供する。図４に示すように、０又は５と番号付けされたサブフレームで始まる、５つの連続したサブフレームに関して、結び付け方法は、以下のステップを含む。
【００３８】
ステップｓ４０１：｛０、１、２、３、４｝と番号付けされたサブフレームについて、０，１，２、及び３と番号付けされたサブフレームが選択される。０，１，２、及び３と番号付けされたサブフレームのＲＶシーケンスは、ＳＲＶ（０）、ＳＲＶ（１）、ＳＲＶ（２）、ＳＲＶ（３）として設定され、４と番号付けされたサブフレームのＲＶは、
【数２】
0005256348.tif 000003
として設定され、ここで、ｎｆは、ＳＦＮを表す。
【００３９】
従って、０と番号付けされたサブフレームで始まる５つの連続したサブフレームのうち、４つの時系列化されたサブフレームが、ＳＲＶ（０）、ＳＲＶ（１）、ＳＲＶ（２）、ＳＲＶ（３）としてのＲＶシーケンスを有して見出されることが可能である。発展型ＮｏｄｅＢ（ｅＮＢ）が、これらのサブフレームを、ＳＩ−ｘメッセージを再送するためにスケジュールしてもよい。ＲＶの違いによって、再送の性能が向上する。
【００４０】
ステップｓ４０２：｛５、６、７、８、９｝と番号付けされたサブフレームについて、処理は、特定のシナリオによって異なる。
【００４１】
偶数のＳＦＮ（ＳＦＮ＝０，２，４．．．）を有するシステムフレームのシナリオにおいては、｛６，７，８，９｝と番号付けされたサブフレームについて、｛６，７，８，９｝と番号付けされたサブフレームのＲＶシーケンスが、ＳＲＶ（０）、ＳＲＶ（１）、ＳＲＶ（２）、ＳＲＶ（３）として設定される。
【００４２】
従って、５と番号付けされたサブフレームで始まる、偶数のＳＦＮを有するシステムフレームの５つの連続したサブフレームのうち、４つの時系列化されたサブフレームが、ＳＲＶ（０）、ＳＲＶ（１）、ＳＲＶ（２）、ＳＲＶ（３）としてのＲＶシーケンスを有して見出されることが可能である。ｅＮＢが、これらのサブフレームを、ＳＩ−ｘメッセージを再送するためにスケジュールしてもよい。ＲＶの違いによって、再送の性能が向上する。
【００４３】
更に、５と番号付けされたサブフレームのＲＶは、
【数３】
0005256348.tif 000004
として設定されてもよく、ここで、ｎｆは、ＳＦＮを表す。
【００４４】
従って、８０ｍｓサイクル内で、８つのシステムフレームのうち、偶数のＳＦＮを有するシステムフレームの、５と番号付けされたサブフレームのＲＶシーケンスは、ＳＲＶ（０）、ＳＲＶ（１）、ＳＲＶ（２）、ＳＲＶ（３）である。これは、ＳＩＢ１送信のための、ｅＮＢにおけるスケジューリングのために利用可能なリソースを保証する。
【００４５】
奇数のＳＦＮ（ＳＦＮ＝１，３，５．．．）を有するシステムフレームのシナリオにおいては、｛５、６、７、８、９｝と番号付けされたサブフレームから、６、７、８、及び９と番号付けされたサブフレームが選択され、６、７、８、及び９と番号付けされたサブフレームのＲＶシーケンスは、ＳＲＶ（０）、ＳＲＶ（１）、ＳＲＶ（２）、ＳＲＶ（３）として設定され、５と番号付けされた残りのサブフレームのＲＶは、
【数４】
0005256348.tif 000005
として設定され、ここで、ｎｆは、ＳＦＮを表す。
【００４６】
従って、５と番号付けされたサブフレームで始まる、奇数のＳＦＮを有するシステムフレームの５つの連続したサブフレームのうち、４つの時系列化されたサブフレームが、ＳＲＶ（０）、ＳＲＶ（１）、ＳＲＶ（２）、ＳＲＶ（３）としてのＲＶシーケンスを有して見出されることが可能である。ｅＮＢが、これらのサブフレームを、ＳＩ−ｘメッセージを再送するためにスケジュールしてもよい。ＲＶの違いによって、再送の性能が向上する。
【００４７】
上記のステップの後、各システムフレーム内のサブフレームのＲＶ値は、図５に示すように取得される。
【００４８】
本発明の実施形態における、ＲＶをＳＦＮ及びサブフレーム番号と結び付ける方法によれば、０又は５と番号付けされたサブフレームで始まる、任意の５つの連続したサブフレームに関して、ＳＩＢ１によって使用されないサブフレームのうち、４つの時系列化されたサブフレームが、ＳＲＶ（０）、ＳＲＶ（１）、ＳＲＶ（２）、ＳＲＶ（３）としてのＲＶシーケンスを有して見出されることが可能である。これにより、ＳＩ−ｘメッセージの送信ウィンドウが５ｍｓである場合の、ｅＮＢのリソーススケジューリングが容易になり、従って、ＳＩ−ｘメッセージの再送の性能が向上する。
【００４９】
更に、０と番号付けされたシステムフレームで始まる、２つごとの連続したシステムフレーム内の、５つごとの連続したサブフレームが、１つのグループに入れられて、４つのサブフレームグループが得られる。サブフレームグループ内に、４つの時系列化されたサブフレームが見出されることが可能であり、これらのサブフレームは、ＳＩＢ１メッセージを送信するためには使用されず、これらのサブフレームのＲＶシーケンスは、ＳＲＶ（０）、ＳＲＶ（１）、ＳＲＶ（２）、ＳＲＶ（３）である。
【００５０】
均等な時間分布と、スケジューリングのために４つのグループが利用可能であることとによって、ｅＮＢのスケジューリングの柔軟性が向上し、良好な時間ダイバーシチが得られることが可能である。これにより、ＳＩ−ｘメッセージの送信ウィンドウが５ｍｓより長い場合の、ｅＮＢのリソーススケジューリングが容易になり、ＳＩ−ｘメッセージの再送の性能が向上する。
【００５１】
更に、８０ｍｓサイクル内で、８つのシステムフレームのうち、偶数のＳＦＮを有するシステムフレームの、５と番号付けされたサブフレームのＲＶシーケンスは、ＳＲＶ（０）、ＳＲＶ（１）、ＳＲＶ（２）、ＳＲＶ（３）である。これは、ＳＩＢ１送信のための、ｅＮＢにおけるスケジューリングのために利用可能なリソースを保証する。
【００５２】
本発明の一実施形態では、ＲＶをＳＦＮ及びサブフレーム番号と結び付ける装置が提供される。図６に示すように、この装置は、サブフレーム選択ユニット６１と、結び付けユニット６２とを含む。
【００５３】
サブフレーム選択ユニット６１は、ＳＦＮのサブフレーム番号に従って、ＳＩ−ｘメッセージの送信ウィンドウ内の、任意の５つの連続したサブフレームを選択するように構成される。結び付けユニット６２は、ＳＩ−ｘメッセージのＲＶを、任意の５つの連続したサブフレームのＳＦＮ及びサブフレーム番号と結び付けるように構成される。
【００５４】
本発明の実施形態に従って提供される装置を使用すれば、ＲＶが、ＳＦＮ及びサブフレーム番号と結び付けられる。ＳＩ−ｘメッセージの送信ウィンドウの長さが５ｍｓ以上である場合、ＳＩ−ｘメッセージの再送の性能が保証される。
【００５５】
更に、図７に示すように、結び付けユニット６２は、第１の設定サブユニット６２１と、第２の設定サブユニット６２２と、第３の設定サブユニット６２３とを含んでもよい。
【００５６】
第１の設定サブユニット６２１は、５つの連続したサブフレームのうちの、４つの時系列化されたサブフレームのＲＶシーケンスを、ＳＲＶ（０）、ＳＲＶ（１）、ＳＲＶ（２）、ＳＲＶ（３）として設定し、５つの連続したサブフレームのうちの、残りのサブフレームのＲＶを、ＳＲＶ（０）、ＳＲＶ（１）、ＳＲＶ（２）、ＳＲＶ（３）のうちの任意の値として設定するように構成され、ここで、Ｎと番号付けされたサブフレームで始まる５つの連続したサブフレームの、いずれのサブフレーム番号も５ではなく、Ｎは０〜９の整数である。
【００５７】
第２の設定サブユニット６２２は、５つの連続したサブフレームのうちの、５と番号付けされたサブフレーム以外の、４つのサブフレームのＲＶシーケンスを、ＳＲＶ（０）、ＳＲＶ（１）、ＳＲＶ（２）、ＳＲＶ（３）として設定し、５と番号付けされたサブフレームのＲＶを、
【数５】
0005256348.tif 000006
として設定するように構成され、ここで、ｎｆは、ＳＦＮを表し、ＳＲＶ＝｛ＳＲＶ（０），ＳＲＶ（１），ＳＲＶ（２），ＳＲＶ（３）｝であり、ここで、Ｎと番号付けされたサブフレームで始まる５つの連続したサブフレームのうちの、１つのサブフレーム番号は５であり、ＳＦＮは偶数である。
【００５８】
第３の設定サブユニット６２３は、５つの連続したサブフレームのうちの、４つの時系列化されたサブフレームのＲＶシーケンスを、ＳＲＶ（０）、ＳＲＶ（１）、ＳＲＶ（２）、ＳＲＶ（３）として設定し、５つの連続したサブフレームのうちの、残りのサブフレームのＲＶを、ＳＲＶ（０）、ＳＲＶ（１）、ＳＲＶ（２）、ＳＲＶ（３）のうちの任意の値として設定するように構成され、ここで、Ｎと番号付けされたサブフレームで始まる５つの連続したサブフレームの、１つのサブフレーム番号は５であり、ＳＦＮは奇数である。
【００５９】
特定の結び付け手順については、方法実施形態において記載されており、ここでは省略する。
【００６０】
本発明の実施形態に従って提供される装置を使用すれば、０又は５と番号付けされたサブフレームで始まる、任意の５つの連続したサブフレームに関して、ＳＩＢ１によって使用されないサブフレームのうち、４つの時系列化されたサブフレームが、ＳＲＶ（０）、ＳＲＶ（１）、ＳＲＶ（２）、ＳＲＶ（３）としてのＲＶシーケンスを有して見出されることが可能である。これにより、ＳＩ−ｘの送信ウィンドウが５ｍｓである場合の、ｅＮＢのリソーススケジューリングが容易になり、従って、ＳＩ−ｘメッセージの再送の性能が向上する。
【００６１】
前述の実施形態の説明に基づいて、当業者は、本発明の実施形態が、ハードウェアによって実施されること、又は、必要な汎用ハードウェアプラットフォーム上のソフトウェアによって実施されることが可能であることを理解できる。そのような理解に基づいて、本発明の技術的解決法は、ソフトウェアにおいて実施されてもよい。ソフトウェアは、ＣＤ−ＲＯＭ、ＵＳＢディスク、及びモバイルディスクなどの、不揮発性記憶媒体内に記憶されてもよい。ソフトウェアは、本発明の実施形態による方法を（パーソナルコンピュータ、サーバ、又はネットワーク装置であってもよい）コンピュータ装置が実行することを可能にする、複数の命令を含む。
【００６２】
本発明について、例示的実施形態を介して説明してきたが、本発明はそのような実施形態に限定されない。当業者が、本発明の精神及び範囲から逸脱することなく、本発明に対して様々な修正及び変形を行うことが可能であることは明らかである。本発明は、それらの修正及び変形が、特許請求の範囲又はその均等物によって規定される保護範囲内に入るならば、それらの修正及び変形を包含することを意図するものである。
【図１】
0005256348.tif 000009
【図２】
0005256348.tif 000010
【図３】
0005256348.tif 000011
【図４】
0005256348.tif 000012
【図５】
0005256348.tif 000013
【図６】
0005256348.tif 000014
【図７】
0005256348.tif 000015